(57)【要約】平坦面をマスクし、この平坦面を含む集成体の使用現場において情報を提供する方法及び装置が開示されている。本発明の１つの有利な方法において、基材と、基材の第１面に配置された接着剤層を含むマスキング材が提供される。１以上のマスキング材帯状片が平坦面に貼付され、１以上のマスキング材帯状片上に情報を有するシートが貼付される。
2005524005.tif 000002
【特許請求の範囲】
【請求項１】
窓集成体の使用現場において情報を提供する方法であって、
基材と、基材の第１面に配置された接着剤層とを含むマスキング材を用意すること、
窓集成体のガラス窓の表面に少なくとも１枚のマスキング材帯状片を貼付すること、及び
少なくとも１枚のマスキング材帯状片の基材の第２面に情報をプリントすること
のステップを含む方法。
【請求項２】
少なくとも１枚のマスキング材帯状片の基材の第２面に情報をプリントするステップが少なくとも１枚のマスキング材帯状片をカラス窓の表面に貼付するステップの前に行われる、請求項１に記載の方法。
【請求項３】
少なくとも１枚のマスキング材帯状片の基材の第２面に情報をプリントするステップが少なくとも１枚のマスキング材帯状片をカラス窓の表面に貼付するステップの後に行われる、請求項１に記載の方法。
【請求項４】
窓集成体の使用現場において情報を提供する方法であって、
基材と、基材の第１面に配置された接着剤層とから成るマスキング材を用意すること、
窓集成体のガラス窓の表面に少なくとも１枚のマスキング材帯状片を貼付すること、及び
少なくとも１枚のマスキング材帯状片に情報支持シートを貼付すること
のステップを含む方法。
【請求項５】
情報支持シートがシート素材と、シート素材の第１面に配置された第２接着剤層とを含む、請求項４に記載の方法。
【請求項６】
第２接着剤層が第１接着剤層よりもはるかに強い接着力を有する、請求項５に記載の方法。
【請求項７】
シート素材が本質的に脆い材料を含む、請求項５に記載の方法。
【請求項８】
シート素材が紙を含む、請求項１に記載の方法。
【請求項９】
窓集成体であって、
第１面を有する第１窓ガラスを含む断熱ガラスユニットと；
第１窓ガラスの第１面の被マスク部分上に配置された保護被膜と；
保護被膜が第１窓ガラスの第１面を横切る複数の帯状片
を含み、第１窓ガラスの第１面が保護被膜の外周縁と第１窓ガラスの外周縁との間に露出するエプロンを有する窓集成体。
【請求項１０】
後続の帯状片がそれぞれ先行の帯状片とオーバーラップするように複数の帯状片を順次配置することにより、保護被膜を１枚ずつ容易に剥離できるようにした、請求項９に記載の窓集成体。
【請求項１１】
複数の帯状片が第１帯状片と部分的にオーバーラップする第２帯状片、及び第２帯状片と部分的にオーバーラップする第３帯状片を含む、請求項１０に記載の窓集成体。
【請求項１２】
複数の帯状片がｎ枚の帯状片であり、ｎ枚目の帯状片が（ｎ−１）枚目の帯状片と部分的にオーバーラップする、請求項１０に記載の窓集成体。
【請求項１３】
ｎ枚目の帯状片が、ｎ枚目の帯状片を最初に剥離すべきであることを指示するインデックスを含む、請求項１２に記載の窓集成体。
【請求項１４】
保護被膜上に重なる情報支持シートをさらに含む、請求項９に記載の窓集成体。
【請求項１５】
情報支持シートが第１面及び第２面を有するシート素材を含む、請求項１４に記載の窓集成体。
【請求項１６】
情報支持シートがその第２面にプリントされた第２インデックスを含む、請求項１４に記載の窓集成体。
【請求項１７】
情報支持シートがその第１面にプリントされた第１インデックスを含む、請求項１４に記載の窓集成体。
【請求項１８】
情報支持シートがその第１インデックス及び第１面とオーバーラップする第２接着剤層を含む、請求項１７に記載の窓集成体。
【請求項１９】
第２接着剤層が第１接着剤層よりもはるかに強い接着力を有する、請求項１８に記載の窓集成体。
【請求項２０】
第１インデックスが透けて見えるように第２接着剤層も保護被膜も実質的に透明である、請求項１８に記載の窓集成体。
【請求項２１】
第２接着剤層も保護被膜も実質的に半透明である、請求項１８に記載の窓集成体。
【請求項２２】
情報支持シートが、窓集成体の利用者が購入しそうな物品の広告であるインデックスを含む、請求項１４に記載の窓集成体。
【請求項２３】
情報支持シートが窓集成体に関する全米窓格付議会の評価データを含む、請求項１４に記載の窓集成体。
【請求項２４】
保護被膜を構成するそれぞれの帯状片がタブ部分を含む、請求項９に記載の窓集成体。
【請求項２５】
保護被膜を構成するそれぞれの帯状片が基材と基材の第１面に重なる接着剤層とを含み、それぞれの帯状片のタブ部分が、第１部分とオーバーラップする接着剤層が第２部分とオーバーラップしている接着剤層に接着されるように折返して基材の第２部分とオーバーラップさせた基材の第１部分を含む、請求項２４に記載の窓集成体。
【請求項２６】
平坦面の被マスク領域を保護する方法であって、
幅を有するマスキング材を用意すること、
マスキング材の幅をマスキングカルキュレーターに入力すること、
被マスク領域の所要の幅をマスキングカルキュレーターに入力すること、
帯状片の最適枚数を算出するようにマスキングカルキュレーターに指令すること、
オーバーラップ寸法を算出するようにマスキングカルキュレーターに指令すること、
最適枚数の帯状片を、オーバーラップ寸法に従って順次オーバーラップさせながら平坦面に貼付すること
のステップを含む方法。
【請求項２７】
それぞれの後続帯状片が先行の帯状片と部分的にイーバーラップ寸法だけオーバーラップするように、帯状片を順次貼付する、請求項２６に記載の方法。
【請求項２８】
被マスク領域の所要幅をマスキングカルキュレーターに入力するステップが平坦面の寸法を検知するステップを含む、請求項２６に記載の方法。
【請求項２９】
窓集成体の使用現場において情報を提供する方法であって、
窓集成体に関する情報を用意すること、
この情報をシートにプリントすること、
窓集成体に情報支持シートを取付けること、
窓集成体を使用現場へ搬送すること
のステップを含む方法。
【発明の詳細な説明】
【技術分野】
【０００１】
本発明は断熱ガラスユニットに関する。より具体的には、本発明は断熱ガラスユニットの平坦面をマスクし、断熱ガラスユニットの使用現場において情報を提供する方法及び装置に関する。
【背景技術】
【０００２】
多くの工業国において、窓は人々の日常生活と密接な関係にある。働くところ、生活するところには必ず窓がある。窓は陽光が建物の内部に入ることを可能にする一方、建物の中にいる人が外の世界を眺めることを可能にする。陽光は天然の抗欝剤であり、人体がビタミンＤを形成するのを助ける。即ち、適量の太陽光線は精神的、肉体的健康に不可欠である。
【０００３】
極端な気象条件下にあっては、暖房を行う冬の間には、多くのエネルギーが窓を通して奪われ、逆に冷房を行う夏にも多くのエネルギーが窓から奪われる。エネルギーコストの増大に伴い、建物の内部と外部との間の熱移動を従来よりも効率的に防止する断熱手段を住居などの建物に設ける試みがなされている。その１例として、窓を通して起こる熱移動を軽減するための断熱ガラスユニットが開発されている。
【０００４】
今日市販されている断熱ガラスユニットは３つのタイプに大別され、一重、二重、三重ガラスユニットと呼称されることが多い。中でも二重断熱ガラスユニットが最も普及している。これらの断熱ガラスユニットは２枚の窓ガラスの間に密閉空間を含み、この空間が断熱の役割を果たし、断熱効果はアルゴン、クリプトンなどのような断熱ガスを空間に充填することによって一段と高めることができる。一重ユニットと比較して、二重ユニットは窓を通しての熱損失をほぼ半減させることができる。
【０００５】
断熱ガラスユニットで達成できる劇的なエネルギー節約に鑑み、断熱ガラスユニットの据付を義務付けるように、多くの自治体において建築基準法が改正されている。消費者が窓を購入する際に考慮すべき重要な要件は断熱ガラスユニットの省エネ性能である。米国連邦政府は一定の省エネ性能基準を満たす窓であることを認証するEnergy Starマークを開発した。窓を購入する際の消費者の判断を助ける他の試みとして、全米窓格付議会（National Fenestration Rating Council(NFRC))は最近、窓にラベルを貼るという新しい条件を制定した。ＮＦＲＣが制定した条件は永久的なマーキングと一時的なラベルとの双方を含む。NFRCラベルはＵ−係数、太陽熱ゲイン係数（Sorlar Heat Gain Coefficient：SHGC）、可視透過率(Visible Transmittance::VT)、及び空気漏れ（AL）に関する評価を含む。これらの評価は住居、非住居の別なくラベリングしなければならない。これらの評価は個々の窓毎に異なるのが普通である。窓のラベリングはモデルナンバー、窓のスタイル、寸法、日付コードなどのような情報をも含む。この情報も個々の窓毎に異なる。以上に述べたラベリング規則は窓メーカーに対するチャレンジである。即ち、メーカーは膨大な量の情報を要求され、しかもこの情報は個々の窓毎に異なる場合が多いからである。
【０００６】
人間が快適であり得る温度範囲は比較的狭い。困ったことに、太陽から窓を介して部屋に入射する赤外線（IR）は瞬くうちに温度を不快なレベルまで上昇させる。多くの窓は、室内の温度上昇を入射赤外線エネルギーの大部分を反射させることによって防止する低放射率コーティングを採用している。最近、窓ガラス用として自浄コーティングが開発された。このコーティングは断熱ガラスユニットのガラスを拭う労力を解消してくれる。
【０００７】
断熱ガラスユニットのガラスは特殊なコーティングを含むのが普通であるから、ガラスに貼付される一時的ラベルはガラス面上のコーティングが損傷しないように、特殊な紙とインクを使用して製造される。断熱ガラスユニットのコーティングは建築現場への輸送の途中で、または建築工事の過程で損傷する恐れがある。建築工事には、大工、左官、ペンキ屋など種々の職人の作業を伴う。建築工事中に断熱ガラスユニットのコーティングに引掻き傷が付いたり、ペンキが付着する可能性がある。
【発明の開示】
【課題を解決するための手段】
【０００８】
本発明は多重断熱ガラスユニットに関する。本発明の方法を利用することによって、窓集成体の使用現場において情報を提供することができる。本発明の好ましい実施例においては、基材と、基材の第１面に塗布した接着剤層とから成るマスキング材を提供する。窓集成体の窓ガラスの表面に１枚または２枚以上のマスキング材帯状片を貼付し、１枚または２枚以上のマスキング材帯状片の基材の第２面に情報をプリントする。
【０００９】
実施例によっては、窓ガラスの表面に１枚または２枚以上のマスキング材帯状片を貼るステップの前に、１枚または２枚以上のマスキング材帯状片の基材の第２面に情報をプリントするステップを行う。他の実施例では、窓ガラスの表面に１枚または２枚以上のマスキング材帯状片を貼るステップの後に、１枚または２枚以上のマスキング材帯状片の基材の第２面に情報をプリントするステップを行う。
【００１０】
本発明の他の好ましい実施例では、基材と、基材の第１面に塗布した接着剤層とから成るマスキング材を提供する。窓集成体の窓ガラスの表面に１枚または２枚以上のマスキング材帯状片を貼付し、１枚または２枚以上のマスキング材帯状片の基材に情報支持シートを張付ける。実施例によっては、情報支持シートがシート素材と、シート素材の第１面上に塗布した第２接着剤層とから成る。本発明の１つの特徴として、第２接着剤層は第１接着剤層よりもはるかに強い接着力を有する。本発明の他の特徴として、シート素材は実質的に脆い材料(例えば、紙)である。
【００１１】
本発明の１実施例としての窓集成体は第１面を有する第１窓ガラスを含む断熱ガラスユニットを含む。好ましくは第１ガラス窓の第１面の被マスク領域に保護被膜を施す。実施例によっては、この保護被膜が第１窓ガラスの第１面を横断するように配置された複数の帯状片から成り、第１ガラス窓の第１面が保護被膜の外周縁と第１ガラス窓の外周縁との間に露出するエプロンを有する。
【００１２】
実施例によっては、それぞれの後続帯状片が先行帯状片の一部とオーバーラップするように複数の帯状片を順次配置する。この場合、一番下の帯状片を把持し、保護被膜を一体として剥離することによって保護被膜を容易に剥離することができる。また、実施例によっては、複数の帯状片がｎ枚の帯状片から成り、これら複数枚の保護帯状片のｎ枚目の帯状片が（ｎ−１）枚目の帯状片と部分的にオーバーラップする。この場合、１枚目の帯状片が、この一枚目の帯状片を最初に剥離すべきであることを指示するインデックスを含む。
【００１３】
好ましい実施例では、窓集成体が保護被膜上に重なる情報支持シートをも含む。さらに他の実施例では、情報支持シートが第１面及び第２面を有するシート素材を含む。情報支持シートはその第１面にプリントされた第１インデックスと第２面にプリントされた第２インデックスを含む。情報支持シートは第１インデックス及びシート素材の第１面に重なる第２接着剤層をも含む。好ましい実施態様として、第２接着剤層は第１接着剤層よりもはるかに強い接着力を有する。
【００１４】
実施例によっては、第１インデックスが透けて見えるように第２接着剤層も保護被膜も実質的に透明である。さらに、実施例によっては、第２接着剤層も保護被膜も実質的に半透明である。また、情報支持シートが、窓集成体の利用者が購入しそうな物品の広告であるインデックスを含む場合もある。さらにまた、情報支持シートが窓集成体に間するNational Fenestration Rating Council評価データを含む場合もある。
【００１５】
本発明の方法を採用することによって、平坦面の被マスク領域を保護することができる。この方法の１例として、既知幅を有するマスキング材を容易し、マスキング材の幅をマスキングカルキュレーターに入力する。マスクすべき領域の所要の幅をマスキングカルキュレーターに入力する。次いで、マスキングカルキュレーターに対して、帯状片の最適枚数を算出するよう指令すればよい。マスキングカルキュレーターがオーバーラップ寸法をも算出することが好ましい。最適枚数の帯状片を、オーバーラップ寸法に従って平坦面上に順次オーバーラップ状に貼付ければよい。実施例によっては、それぞれの後続帯状片が先行帯状片と部分的にオーバーラップするように順次帯状片を貼付ける。被マスク領域の所要幅をマスキングカルキュレーターに入力するステップが平坦面の寸法を検知するステップをも含む実施態様も可能である。
【００１６】
本発明の方法を採用することによって、種々のサイズの断熱ガラスユニットをマスクすることができる。本発明の方法の１実施例では、サイズの小さい断熱ガラスユニットは１枚のマスキング材帯状片でマスクすることができ、サイズの大きい断熱ガラスユニットは複数枚のマスキング材帯状片でマスクできるように、マスキング材の幅を選択する。
【００１７】
実施例によっては、断熱ガラスユニットの表面に複数の帯状片を貼付けることによって保護被膜を形成する。好ましい実施態様として、保護被膜の外周縁と断熱ガラスユニットの外周縁との間に露出するエプロンを画定するように、これら帯状片を配置する。この場合、保護皮膜のトリミングは不要である。(例えば、刃で)マスキング材をトリミングすることで断熱ガラスユニットのコーティングを損傷する恐れがあるから、このことは有益である。
【００１８】
多くの要因が断熱ガラスユニットの製造分野における変化を促している。上述したように、National Fenestration Rating Council(NFRC)は最近、窓にラベルを貼るという新しい条件を制定した。ＮＦＲＣが制定した条件は永久的なマーキングと一時的なラベルとの双方を含む。NFRCラベルはＵ−係数、太陽熱ゲイン係数（Sorlar Heat Gain Coefficient：SHGC）、可視透過率(Visible Transmittance::VT)、及び空気漏れ（AL）に関する評価を含む。これらの評価は住居、非住居の別なくラベリングしなければならない。これらの評価は個々の窓毎に異なるのが普通である。窓のラベリングはモデルナンバー、窓のスタイル、寸法、日付コードなどのような情報をも含む。
【００１９】
以上に述べたラベリング規則は窓メーカーに対するチャレンジである。即ち、メーカーは膨大な量の情報を要求され、しかもこの情報は個々の窓毎に異なる場合が多いからである。典型的な断熱ガラスの生産ラインはオーダーメード方式で多種にわたる断熱ガラスを製造することができる。生産ラインに沿って、それぞれの断熱ガラスユニットに本発明の方法を採用すれば、個々の特定断熱ガラス。ユニットに適応するラベリングが可能に成る。
【発明を実施するための最良の形態】
【００２０】
本発明の詳細を添付の図面に沿って以下に説明する。尚、これらの図面において、類似の素子には共通の番号を付してある。縮尺は必ずしも正確でないこれらの図面は特定の実施態様を示したものであり、本発明の範囲を制限するものではない。特定の素子については、その構成、材料、寸法、及びその製法を例示するが、その他の素子には本発明の分野に精通する当業者に公知のものを採用することができる。当業者には明らかなように、以下に述べる実施例の多くはそれぞれに代わる有用な態様で実施することができる。
【００２１】
図１は本発明の実施例としての集成体１００を示す斜視図である。集成体１００は第１面１０４を有する窓ガラス１０２を含む。窓ガラス１０２の第１面１０４の被マスク部分１２２は保護被膜１２０で被覆されている。図１に示す実施例の場合、保護被膜１２０は複数の帯状片を含む。窓ガラス１０２の第１面１０４は保護被膜１２０の外周縁１２６と窓枠１０２の外周縁１２８との間に露出しているエプロン１２４をも含む。
【００２２】
図１に示す実施例では、保護被膜１２０を形成する帯状片を、後続の各帯状片が先行帯状片の一部と順次オーバーラップするように配置して、保護被膜から帯状片を１枚ずつ容易に取外せるようにしてある。具体的には、保護被膜１２０は第１帯状片１３０Ａと、この第１帯状片１３０Ａと部分的にオーバーラップする第２帯状片１３０Ｂとを含む。保護被膜１２０は第２帯状片１３０Ｂと部分的にオーバーラップする第３帯状片１３０Ｃをも含む。尚、本発明の思想と範囲を逸脱することなく、保護被膜１２０は任意の枚数の帯状片を含むことができる。
【００２３】
好ましい実施態様では、各帯状片が、第１面１０６Ａと第２面１０６Ｂとを有する基材１３２を含む。有効な実施態様では、各帯状片が基材１３２の第１面１０６Ａに塗布された第１接着剤層１３４を含む。図１に示す実施例の場合、保護被膜１２０の第４帯状片１３０Ｄは基材１３２の第２面１０６Ｂ上に配置されたインデックス１４２を含む。
【００２４】
本発明の思想と範囲を逸脱することなくインデックスとして種々の実施態様を選択することができる。例えば、インデックス１４２として、指示、技術情報、及び／または広告を選択することができる。例えば、インデックス１４２は保護被膜１２０の取外し指示を含む場合がある。具体的には、インデックス１４２が保護被膜１２０のうち、先ずどの帯状片を取外すべきかを指示する場合がある。
【００２５】
図１に示す集成体１００を本発明の方法と併用することができる。例えば、窓ガラス１０２の使用場所において情報を提供する方法は、その１例として、下記ステップを含む。１）基材１３２と、基材の第１面に塗布した第１接着剤層１３４とを含むマスキング材を用意する。２）後続の各帯状片が先行の帯状片とオーバーラップ寸法に亙ってオーバーラップするように一連の帯状片を窓ガラス１０２の第１面１０４上にオーバーラップ状に貼り付ける。３）帯状片の少なくとも１枚の基材第２面に情報をプリントする。本発明の思想と範囲を逸脱することなく、上記以外の態様で本発明の方法を実施することができる。その１例として、窓ガラス１０２の第１面に基材を貼り付ける前に、第２面にインデックスをプリントしてある基材を有するマスキング材を用意するステップを含むこともできる。
【００２６】
本発明の思想と範囲を逸脱することなく、窓ガラス１０２を種々の材料で形成することができる。用途に応じて好適な材料の例としては、ガラス、金属、及びプラスチックを挙げることができる。同様に、基材１３２も本発明の思想と範囲を逸脱することなく種々の材料から選択することができる。用途に応じて好適な材料の例としては、紙、金属箔、及びポリマーフィルムを挙げることができる。用途に応じて好適なポリマー材の例としては、ポリエチレン（ＰＥ）、ポリプロピレン（ＰＰ）、塩化ポリビニル（ＰＶＣ）、ポリウレタン、ポリテトラフルオロエチレン（ＰＴＦＥ）、ポリエステル（例えば、ＰＥＴ）、ポリアミド、及びポリイミドを含む。
【００２７】
図２は本発明の他の実施例としての集成体２００を示す斜視図である。集成体２００は断熱ガラスユニット２３６を含む。断熱ガラスユニット２３６は第１窓ガラス２０２Ｂ、第２窓ガラス２０２Ｂ及び第１窓ガラス２０２Ａと第２窓ガラス２０２Ｂの間に介在するスペーサー２３８を含む。第１窓ガラス２０２Ａ、第２窓ガラス２０２Ｂ及びスペーサー２３８が窓ガラス間スペースを画定することが好ましい。窓ガラス間スペース内に絶縁ガス（例えば、アルゴン、クリプトン、及び／またはその他の絶縁ガス）を充填する態様も可能である。窓ガラス間スペースが空気を含有するか、または真空状態である態様も可能である。断熱ガラスユニット２３６は一般的には二重ガラスユニットを指す。但し、この断熱ガラスユニット２３６を、本発明の思想と範囲を逸脱することなく、他の態様に構成することも可能である。例えば、断熱ガラスユニット２３６が一重の断熱ガラスユニットまたは三重断熱ガラスユニットである場合もある。
【００２８】
断熱ガラスユニット２３６の第１窓ガラス２０２Ａは第１面２０４を有する。図２に示す実施例の場合、第１窓ガラス２０２Ａの第１面２０４上に保護被膜２２０が配置されている。図２において、保護被膜２２０上に情報支持シート２４４が重ねられている。図２に示す実施例の場合、情報支持シート２４４はシート素材２４６と、シート素材２４６の第１面２０８Ａに重なる第２接着剤層２４８とを含む。
【００２９】
図２に示す実施例の場合、保護被膜２２０は複数の帯状片を含み、それぞれの帯状片は第１面２０６Ａと、第１面２０６Ａに塗布された第１接着剤層２３４とを含む。有用な実施態様としては、第２接着剤層２４８の接着力が第１接着剤層２３４の接着力よりも大きくなるように第１及び第２接着剤層２３４、２４８を選択すればよい。この有用な実施態様においては、第１窓ガラス２０２Ａに対する第１接着剤層２３４の接着レベルを、第１窓ガラス２０２Ａから基材２３２を容易に剥離できるように設定すればよい。同じくこの有用な実施態様においては、第２接着剤層２４８の接着レベルを、それぞれの帯状基材片２３２に情報支持シート２４４のシート素材２４６を固着させ、帯状片のための機械的な支持手段として機能できるように選択すればよい。好ましい実施態様として、情報支持シート２４４のシート素材に脆い材料を使用する。この好ましい実施態様においては、それぞれの帯状片を第１窓ガラス２０２Ａから取外す際に破れるように情報支持シート２４４を構成すればよい。用途によっては好適な、脆い材料の一例として、紙を挙げることができる。
【００３０】
図２に示す実施例では、情報支持シート２４４のシート素材２４６の第２面２０８Ｂ上に第２インデックス２４２を配置する。情報支持シート２４４はそのシート素材２４６の第１面２０８Ａにプリントされた第１インデックス２４０をも含む。好ましい実施態様としては、第１インデックス２４０を、断熱ガラスユニット２３６の一方の側縁よりも外側に位置する点２５０で表される人が視認できるようにする。この好ましい実施態様の場合、保護被膜２２０の基材２３２も第１接着剤層２３４もほぼ光学的に透明及び／または半透明である。同じくこの好ましい実施態様において、第１窓ガラス２０２Ａも第２窓ガラス２０２Ｂも共にほぼ光学的に透明である。この実施態様において、情報支持シート２４４の第２接着剤層２４８も光学的に透明及び／または半透明であることが好ましい。
【００３１】
図３は本発明のさらに他の実施例としての集成体３００の斜視図である。集成体３００は第１窓ガラス３０２Ａを有する断熱ガラスユニット３３６を含む。第１窓ガラス３０２Ａの第１面３０４の被マスク部分３２２を保護被膜３２０が被覆している。図３に示す実施例の場合、保護被膜３２０は複数の帯状片３３０から成る。第１窓ガラス３０２Ａの第１面３０４は保護被膜３２０の外周縁３２６と第１窓ガラス３０２Ａの外周縁３２８との間に露出しているエプロン３２４をも有する。図３において、集成体３００の断熱ガラスユニット３３６は第２面３０２Ｂ及びスペーサー３３８を含む。
【００３２】
図４は図３に示した集成体に使用されるのと同様の断熱ガラスユニット３３６及び保護被膜３２０を含む他の実施例を示す斜視図である。上述したように、保護被膜３２０は外周縁３２６を有し、第１窓ガラス３０２Aの第１面３０４は保護被膜３２０の外周縁３２６と第１面３０２Aの外周縁３２８との間に露出するエプロン３２４を含む。図４に示す実施例においては、第１面３０２Aの露出エプロン３２４に接着剤３５２を塗布する。
【００３３】
図５は本発明のさらに他の実施例としての集成体を示す斜視図である。図５の集成体は窓サッシ３５４と、図４に示した集成体とを含む。図５の集成体においては、断熱ガラスユニット３３６が図４の接着剤３５２を介して窓サッシ３５４に固定されるように窓サッシ３５４が断熱ガラスユニット３３６上に配置されている。図５から明らかなように、窓サッシ３５４は複数の内側縁３５６を含む。同じく図５から明らかなように、保護被膜３２０はほぼ窓サッシ３５４の内側縁３５６にまで達している。換言すれば、保護被膜３２０の外周縁３２６は窓サッシ３５４の内側縁３５６とほぼ一致する。
【００３４】
図５に示す集成体は建築現場へ搬送され、建設現場において窓サッシ３５４に塗装を施すことができる。この場合、保護被膜３２０が第１窓ガラス３０２Aの第１面３０４をマスキングしているから、この面に塗料が付着することはない。塗装が完了したら、第１窓ガラス３０２Aの第１面３０４から保護被膜３２０の帯状片３３０を剥離すればよい。保護被膜３２０はまた、図５の集成体を製造、搬送、及び取付けの過程においても第１窓ガラス３０２Aの第１面３０４を保護することができる。
【００３５】
図６は本発明の他の実施例としての集成体４００を示す斜視図である。集成体４００は第１面４０４を有する窓ガラス４０２を含む。保護被膜４２０は窓ガラス４０２の第１面４０４を横断するように配置されている。保護被膜４２０は第１帯状片４３０Aを含む。
【００３６】
図６に示す保護被膜４２０の第１帯状片４３０Aは基材４３２と、基材４３２の第１面に塗布された接着剤層４３４とから成る。図６から明らかなように、第１帯状片４３０Aは第１タブ４５８Aを含む。図６の実施例において、第１タブ４５８Aは基材４３２の第２部分とオーバーラップするように折返された、第１部分４６０を含み、第１部分４６０に塗布されている接着剤層４３４が第２部分４６２に塗布されている接着剤層４３４に接着している。
【００３７】
集成体４００の保護被膜４２０は第２帯状片４３０B、第３帯状片４３０C、及び第４帯状片４３０Dをも含む。図６の実施例では、第２帯状片４３０B、第３帯状片４３０C、及び第４帯状片４３０Dがそれぞれ第２タブ４５８B、第３タブ４５８C、及び第４タブ４５８Dを含む。
【００３８】
図７は本発明のさらに他の実施例としての集成体５００を示す斜視図である。集成体５００は断熱ガラスユニット５３６の第１窓ガラス５０２Aの第１面５０４に重なる保護被膜５２０を含む。図７の実施例において、保護被膜５２０は第１横方向帯状片５７０A及び第２横方向帯状片５７０Bを含む。保護被膜５２０はまた、第１縦方向帯状片５７２A及び第２縦方向帯状片５７２Bをも含む。図７から明らかなように、第１縦方向帯状片５７２A、第２縦方向帯状片５７２B、第１横方向帯状片５７０A、及び第２横方向帯状片５７０Bが保護被膜５２０のほぼ矩形の外周縁５２６を画定する。同じく図７から明らかなように、保護被膜５２０は内周縁５６４を有する。
【００３９】
第１窓ガラス５０２Aの第１面５０４は保護被膜５２０の外周縁５２６と第１窓ガラス５０２Aの外周縁５２８との間に露出するエプロン部分を含む。本発明の１つの方法例では、窓サッシを第１窓ガラス５０２Aの第１面５０４の露出部分５２２に接合する。好ましい実施態様としては、保護被膜５２０の外周縁５２６を、第１窓ガラス５０２Aの第１面５０４の窓サッシ近傍部分を保護しながら窓サッシを塗装できるように寸法設定する。
【００４０】
図８は本発明の方法を例示するフローチャートである。図８に示す方法はマスキングすべき集成体を供給するステップを含む。例えば、このステップは第１面を有する第１窓ガラスを含む断熱ガラスユニットを供給するステップを含むことができる。図８の方法はまた、マスキング面積の所要幅をマスキングカルキュレーターに入力するステップをも含む。例えば、断熱ガラスユニットをマスキング部へ進入させる。マスキング部において、断熱ガラスユニットの寸法が検知される。マスキング部と連携するコントローラーが検知された寸法を利用することによって、この寸法を有する断熱ガラスユニットに対応する被マスク面積を測定する。
【００４１】
図８に示す方法は、或る幅を有するマスキング材を供給するステップをも含む。好ましい方法としては、小さい断熱ガラスユニットの表面に１枚のマスキング材帯状片を貼付することによって小さい断熱ガラスユニットをマスク処理する。このような小さい断熱ガラスユニットよりも大きい寸法を有する断熱ガラスユニットは複数のマスキング材帯状片を使用してマスク処理すればよい。
【００４２】
図８に示す方法は帯状片の最適枚数を求めるステップをも含む。上述したように、小さい断熱ガラスユニットの場合、帯状片の最適枚数は１枚である。その他の断熱ガラスユニットには複数枚数の帯状片が必要になる。図８に示す方法はオーバーラップ寸法を算出するステップをも含む。マスキング材の幅及び帯状片の最適枚数を利用することによって、被マスク面積をカバーするのに必要なオーバーラップ寸法を算出することができる。
【００４３】
図８に示す方法は最適枚数の帯状片を貼付するステップをも含む。例えば、断熱ガラスユニットの第１窓ガラスの第１面に最適枚数のマスキング材帯状片を貼付する。本発明の１つの方法では、算出されたオーバーラップ寸法だけそれぞれ後続の帯状片が先行帯状片とオーバーラップするようにして帯状片を順次貼付する。
【００４４】
図９は本発明の実施例としての集成体７００の斜視図である。集成体７００は第１窓ガラス７０２Aを有する断熱ガラスユニット７３６を含む。第１窓ガラス７０２Aの第１面７０４の被マスク部分７２２に保護被膜７２０を重ねる。図９に示す実施例において、保護被膜７２０は１枚の帯状片７３０から成る。集成体７００の断熱ガラスユニット７３６は第２窓ガラス７０２B及びスペーサー７３８を含む。
【００４５】
図９に示す実施例では、第１ラベル７６６A、第２ラベル７６６B、及び第３ラベル７６６Cが保護被膜７２０上に配置されている。図９に示す実施例では、それぞれのラベルが好ましくはシート素材及びシート素材の第１面にオーバーラップする第２接着剤層から成る。図９に示すように、インデックスは各ラベルのシート素材の第２面に配置される。
【００４６】
図１０は本発明の方法の他の実施例を示すフローチャートである。図１０に示す方法は窓集成体を提供するステップ及び窓集成体に関する情報を供給するステップを含む。例えば、窓集成体をラベリング部へ移動させる。ラベリング部において、窓集成体の識別特性が検知される。ラベリング部と連携するコントローラーは検知された識別特性を利用することによって、窓集成体に関する必要な情報を求める。コントローラーは所要の情報をプリンターに供給する。
【００４７】
図１０に示す方法はシート素材を供給し、シート素材上に情報をプリントするステップをも含む。シート素材は、例えば、紙シートから成る。幾つかの方法においては、シート素材として標準サイズの紙（例えば、１１インチｘ１７インチ）を使用する。図１０の方法はシートに情報をプリントするステップをも含む。本発明の１つの方法では、窓集成体の製造工程の一部として、途中にシートへのプリントが行われる。この場合、得られた情報支持シートは特定の窓集成体に関する情報を含む。例えば、シートにプリントされた情報は、特定の窓集成体の購買者の関心を惹きそうな広告を含む。第２の例として、シートにプリントされる情報が特定の窓集成体に関する評価データ、例えば、NFRC評価データを含むことができる。
【００４８】
シートに情報をプリントするステップは種々のプリント方法を含むことができる。幾つかの用途に好適なプリント方法の例として、カラー電子写真プリンティング、カラー静電プリンティング、カラーレーザープリンティング、カラーインクジェットプリンティング、カラーバブルジェットプリンティングなどがある。
【００４９】
図１０に示す方法は窓集成体に情報支持シートを貼付するステップをも含む。例えば、情報支持シートを窓集成体の窓ガラスの表面に直接貼付することができる。本発明の他の方法においては、情報支持シートと窓集成体の窓ガラスとの間に介在させた保護被膜と一緒に貼付する。
【００５０】
本発明の思想と範囲を逸脱することなく、窓集成体の種々の実施態様を採用することができる。例えば、窓集成体は１枚の窓ガラス、及び／または断熱ガラスユニット、及び／または窓サッシを含むことができる。図１０から明らかなように、本発明方法の実施例の場合、窓集成体を建築現場へ搬送するステップを含む。図１０に示す方法では、窓集成体を据付けるステップをも含む。窓集成体据付ステップは窓集成体を建物に取付けるステップを含む。上述したように、情報支持シートは建物内に存在する人の関心を惹きそうな広告を含むことができる。建物内に存在しそうな人としては、新しい住居所有者、大工、事業主、窓の潜在的な購入者などが挙げられる。情報支持シートはその他の情報、例えば、窓集成体に関する据付指示書なども含むことができる。
【００５１】
図１１は本発明の実施例としての集成体８００の斜視図である。集成体８００は建物８６８に据付けられた窓集成体８０１を含む。窓集成体８０１は断熱ガラスユニット８３６と窓サッシ８５４とから成る。断熱ガラスユニット８３６には情報支持シート８４４が取付けられている。図１１の実施例においては、保護被膜８２０が情報支持シート８４４と断熱ガラスユニット８３６との間に介在している。情報支持シート８４４を断熱ガラスユニット８３６に直接取付ける実施態様も可能である。
【００５２】
図１１に示す実施例では、情報支持シート8４４が建物8６８の外側に配置される。情報支持シート8４４は第１面及び第２面を有するシート素材から成る。図１１から明らかなように、シート素材８４６の第２面８０８Bに第２インデックス８４２が配置される。第２インデックス８４２は建物８６８の外側にいる人から見えることが好ましい。情報支持シート８４４はまた、情報支持シート８４４のシート素材８４６の第１面にプリントされた第１インデックスを含むことが好ましい。好ましい実施例においては、第１インデックスは建物８６８の内側にいる人から見える。
【００５３】
図１２は本発明の実施例としての集成体９００の斜視図である。集成体９００は建物９６８に据付けられた窓集成体９０１を含む。窓集成体９０１は断熱ガラスユニット９３６及び窓サッシ９５４を含む。断熱ガラスユニット９３６には情報支持シート９４４が取付けられている。図１２に示す実施例においては、保護被膜９２０が情報支持シート９４４と断熱ガラスユニット９３６の間に介在している。情報支持シート９４４を断熱ガラスユニット９３６に直接取付ける実施態様も可能である。図１２に示す実施例においては、情報支持シート９４４が建物９６８の内側に配置される。情報支持シート９４４は第１面及び第２面を有するシート素材から成る。
【００５４】
図１２から明らかなように、シート素材９４６の第１面９０８Aに第１インデックス９４０が配置される。第１インデックス９４０は建物の外にいる人から見えることが好ましい。情報支持シート９４４はまた、情報支持シート９４４のシート素材９４６の第２面にプリントされた第２インデックスを含むことが好ましい。好ましい実施例では、第２インデックスが建物９６８の内部にいる人から見える。
【００５５】
幾つかの実施態様を例にとって本発明を図示し、説明したが、当業者なら容易に理解できるように、これら以外の実施態様も可能である。ここに図示し、記載した実施例はあくまでも説明のためのものであり、後記する請求項によって定義する本発明の範囲を制限するものではない。
【図面の簡単な説明】
【００５６】
【図１】本発明の実施例としての集成体の斜視図である。
【図２】本発明の他の実施例としての集成体の斜視図である。
【図３】本発明のさらに他の実施例としての集成体の斜視図である。
【図４】図３の断熱ガラスユニット及び保護被膜を含む本発明の他の実施例としての集成体の斜視図である。
【図５】本発明のさらに他の実施例としての集成体の斜視図である。
【図６】本発明のさらに他の実施例としての集成体の斜視図である。
【図７】本発明のさらに他の実施例としての集成体の斜視図である。
【図８】本発明の方法を例示するフローチャートである。
【図９】本発明の実施例としての集成体の斜視図である。
【図１０】本発明の方法の他の実施例を示すフローチャートである。
【図１１】本発明の実施例としての集成体の斜視図である。
【図１２】本発明の他の実施例としての集成体の斜視図である。
【図１】
2005524005.tif 000003
【図２】
2005524005.tif 000004
【図３】
2005524005.tif 000005
【図４】
2005524005.tif 000006
【図５】
2005524005.tif 000007
【図６】
2005524005.tif 000008
【図７】
2005524005.tif 000009
【図８】
2005524005.tif 000010
【図９】
2005524005.tif 000011
【図１０】
2005524005.tif 000012
【図１１】
2005524005.tif 000013
【図１２】
2005524005.tif 000014
【国際調査報告】
2005524005.tif 000015